(57)【要約】   【課題】簡単な操作により適切に画像を処理する処理シーケンスを作成することができる処理シーケンス編集プログラムおよび処理シーケンス編集装置を提供する。  【解決手段】Ａ−４６の処理がまず設定され、次にＡ−８の処理が設定された場合に、Ａ−４６の処理では、第１の画像Ａには、素材パレットの１番目の画像であるＧ−１が選択され、第２の画像Ｂには、Ｇ−１の次に素材パレットに表示されているＧ−２が、第３の画像にはＧ−２の次に素材パレット２３に表示されているＧ−３がそれぞれ選択されて割り当てられる。次に、Ａ−８の処理がＡ−４６の処理の後の時刻に設定されると、Ａ−８の処理は、第１の画像Ａには、Ａ−４６の処理でＭのマークが付された画像であるＧ−１が割り当てられ、第２の画像Ｂは、それまでに使用されていない画像のうち最も順が早い画像であるＧ−４が、選択されて割り当てられる。  【選択図】    図６
2006065921.tif 000002
【特許請求の範囲】
【請求項１】
複数の画像を記憶する画像記憶手段と、画像を表示する表示手段とを備え、前記画像記憶手段に記憶されている画像を順次処理して前記表示手段に表示する処理シーケンスデータを作成する処理シーケンス編集装置において実行される処理シーケンス編集プログラムであって、
前記画像記憶手段に記憶されている複数の画像を所定の順序で前記表示手段に表示する素材表示ステップと、
画像処理の種類に対応する複数の処理アイコンを前記表示手段に表示する処理表示ステップと、
その処理表示ステップによりに表示された複数の処理アイコンの中から所望の処理アイコンを選択することにより画像処理の種類を選択する処理選択ステップと、
その処理選択ステップにより処理アイコンが選択されることに応じて、前記素材表示ステップにより表示されている順序に基づいて前記素材表示ステップにより表示されている画像を選択する素材選択ステップと、
前記処理選択ステップにより選択された画像処理では、前記素材選択ステップにより選択された画像と、前記処理選択ステップにより選択された画像処理の直前に設定された画像処理において処理される複数の画像のうちの指定された画像とを処理する画像処理ステップとを備えていることを特徴とする処理シーケンス編集プログラム。
【請求項２】
複数の画像を記憶する画像記憶手段と、画像を表示する表示手段とを備え、前記画像記憶手段に記憶されている画像を順次処理して前記表示手段に表示する処理シーケンスデータを作成する処理シーケンス編集装置において実行される処理シーケンス編集プログラムであって、
画像処理の種類に対応する複数の処理アイコンを前記表示手段に表示する処理表示ステップと、
その処理表示ステップにより表示された複数の処理アイコンの中から所望の処理アイコンを選択することにより画像処理の種類を選択する処理選択ステップと、
前記画像記憶手段に記憶されている複数の画像を第１の組と第２の組とに分け、それぞれの組において複数の画像を所定の順序で前記表示手段に表示する素材表示ステップと、
その素材表示ステップにより表示されている第１の組から前記素材表示ステップにより表示されている順序に基づいて第１の画像を選択し、前記素材表示ステップにより表示されている第２の組から前記素材表示ステップにより表示されている順序に基づいて第２の画像を選択する素材選択ステップと、
前記処理選択ステップにより選択された画像処理によって一つの画面に表示される主画像と従画像それぞれに、前記素材選択ステップにより選択された第１の画像と第２の画像とをそれぞれ割り当てる割り当てステップとを備えていることを特徴とする処理シーケンス編集プログラム。
【請求項３】
複数の画像を記憶する画像記憶手段と、画像を表示する表示手段とを備え、前記画像記憶手段に記憶されている画像を順次処理して前記表示手段に表示する処理シーケンスデータを作成する処理シーケンス編集装置において実行される処理シーケンス編集プログラムであって、
画像処理の種類に対応する複数の処理アイコンを前記表示手段に表示する処理表示ステップと、
その処理表示ステップによりに表示された複数の処理アイコンの中から所望の処理アイコンを選択することにより画像処理の種類を選択する処理選択ステップと、
前記画像記憶手段に記憶されている画像のうち、複数の第１の画像と、その複数の第１の画像のいずれかに対応する第２の画像と、その第２の画像が複数の第１の画像のいずれに対応しているかとを前記表示手段に表示する素材表示ステップと、
その素材表示ステップにより表示されている複数の第１の画像の中から画像を選択する主画像選択ステップと、
その主画像選択ステップにより第１の画像が選択されることに応じて、その第１の画像に対応する第２の画像を選択する従画像選択ステップと、
前記処理選択ステップにより選択された画像処理によって一つの画面に表示される主画像と従画像に、前記主画像選択ステップにより選択された主画像と前記従画像選択ステップにより選択された従画像とをそれぞれ割り当てる割り当てステップとを備えていることを特徴とする処理シーケンス編集プログラム。
【請求項４】
前記素材表示ステップは、前記画像記憶手段に記憶されている画像のうち、複数の第１の画像と、その複数の第１の画像のいずれかに対応する複数の第２の画像と、その複数の第２の画像がそれぞれ第１の画像のいずれに対応しているかとを前記表示手段に表示するとともに、第１の画像に対応する複数の第２の画像を所定の順序で表示するものであって、前記従画像選択ステップは、前記主画像選択ステップにより第１の画像が選択されることに応じて、その第１の画像に対応する第２の画像を前記素材表示ステップにより表示されている順序に基づいて選択するものであることを特徴とする請求項３記載の処理シーケンス編集プログラム。
【請求項５】
複数の画像を記憶する画像記憶手段と、画像を表示する表示手段とを備えた処理シーケンス編集装置において実行され、画像処理の種類に対応する複数の処理アイコンを表示する処理表示ステップと、その処理表示ステップにより表示された複数の処理アイコンの中から所望の処理アイコンを選択する処理選択ステップと、前記画像記憶手段に記憶されている複数の画像に対応する素材アイコンを所定の順序で前記表示手段に表示する素材表示ステップと、前記処理選択ステップにより選択された処理アイコンに対応する画像処理において処理される画像を前記素材表示ステップにより表示されている複数の素材アイコンの中から選択する素材選択ステップとを備え、前記処理選択ステップにより選択された処理アイコンと前記素材選択ステップにより選択された素材アイコンとを時間軸上に配置することにより処理シーケンスデータを作成する処理シーケンス編集プログラムにおいて、
前記素材表示ステップにより表示されている画像の表示順に対応し、前記画像記憶手段に記憶されている画像の記憶位置を記憶する画像アドレス記憶ステップと、
前記画像記憶手段に記憶されている任意の画像を前記素材表示ステップにより表示されるように設定する素材画像設定ステップと、
その素材画像設定ステップにより前記画像記憶手段に記憶されている画像を前記素材表示ステップにより表示されるように設定されることに応じて、前記画像アドレス記憶ステップにより記憶された前記画像記憶手段に記憶されている画像の記憶位置を変更する画像アドレス変更ステップと、
処理シーケンスデータとして前記素材選択ステップにより選択された画像の前記素材表示ステップにより表示されている表示順を記憶する表示順記憶ステップとを備えていることを特徴とする処理シーケンス編集プログラム。
【請求項６】
前記処理選択ステップにより選択された処理アイコンと前記素材選択ステップにより選択された画像に対応する素材アイコンとを前記表示手段により表示された時間軸に並べて表示するトラック表示ステップと、
前記素材画像設定ステップにより、前記画像記憶手段に記憶されている画像を前記素材表示ステップにより表示されるように設定されることに応じて前記トラック表示ステップにより表示されている素材アイコンを前記画像アドレス変更ステップにより変更された画像であり、その画像の前記画像記憶手段に記憶されている記憶位置の画像に対応する素材アイコンに変更するトラック表示変更ステップとを備えていることを特徴とする請求項５記載の処理シーケンス編集プログラム。
【請求項７】
前記素材画像設定ステップは、前記画像記憶手段に記憶されている複数の画像を一回の操作に応じて前記素材表示ステップにより表示されるように設定するものであることを特徴とする請求項５または６記載の処理シーケンス編集プログラム。
【請求項８】
複数の画像を記憶する画像記憶手段と、画像を表示する表示手段とを備え、前記画像記憶手段に記憶されている画像を順次処理して前記表示手段に表示する処理シーケンスデータを作成する処理シーケンス編集装置において、
前記画像記憶手段に記憶されている複数の画像を所定の順序で前記表示手段に表示する素材表示手段と、
画像処理の種類に対応する複数の処理アイコンを前記表示手段に表示する処理表示手段と、
その処理表示手段によりに表示された複数の処理アイコンの中から所望の処理アイコンを選択することにより画像処理の種類を選択する処理選択手段と、
その処理選択手段により処理アイコンが選択されることに応じて、前記素材表示手段により表示されている順序に基づいて前記素材表示手段により表示されている画像を選択する素材選択手段と、
前記処理選択手段により選択された画像処理では、前記素材選択手段により選択された画像と、前記処理選択手段により選択された画像処理の直前に設定された画像処理において処理される複数の画像のうちの指定された画像とを処理する画像処理手段とを備えていることを特徴とする処理シーケンス編集装置。
【請求項９】
複数の画像を記憶する画像記憶手段と、画像を表示する表示手段とを備え、前記画像記憶手段に記憶されている画像を順次処理して前記表示手段に表示する処理シーケンスデータを作成する処理シーケンス編集装置において、
画像処理の種類に対応する複数の処理アイコンを前記表示手段に表示する処理表示手段と、
その処理表示手段により表示された複数の処理アイコンの中から所望の処理アイコンを選択することにより画像処理の種類を選択する処理選択手段と、
前記画像記憶手段に記憶されている複数の画像を第１の組と第２の組に分け、それぞれの組において複数の画像を所定の順序で前記表示手段に表示する素材表示手段と、
その素材表示手段により表示されている第１の組から前記素材表示手段により表示されている順序に基づいて第１の画像を選択し、前記素材表示ステップにより表示されている第２の組から前記素材表示手段により表示されている順序に基づいて第２の画像を選択する素材選択手段と、
前記処理選択手段により選択された画像処理によって一つの画面に表示される主画像と従画像それぞれに、前記素材選択手段により選択された第１の画像と第２の画像とをそれぞれ割り当てる割り当て手段とを備えていることを特徴とする処理シーケンス編集装置。
【請求項１０】
複数の画像を記憶する画像記憶手段と、画像を表示する表示手段とを備え、前記画像記憶手段に記憶されている画像を順次処理して前記表示手段に表示する処理シーケンスデータを作成する処理シーケンス編集装置において、
画像処理の種類に対応する複数の処理アイコンを前記表示手段に表示する処理表示手段と、
その処理表示手段により表示された複数の処理アイコンの中から所望の処理アイコンを選択することにより画像処理の種類を選択する処理選択手段と、
前記画像記憶手段に記憶されている画像のうち、複数の第１の画像と、その複数の第１の画像のいずれかに対応する第２の画像と、その第２の画像が複数の第１の画像のいずれに対応しているかとを前記表示手段に表示する素材表示手段と、
その素材表示手段により表示されている複数の第１の画像の中から画像を選択する主画像選択手段と、
その主画像選択手段により第１の画像が選択されることに応じて、その第１の画像に対応する第２の画像を選択する従画像選択手段と、
前記処理選択手段により選択された画像処理によって一つの画面に表示される主画像と従画像に、前記主画像選択手段により選択された主画像と前記従画像選択手段により選択された従画像とをそれぞれ割り当てる割り当て手段とを備えていることを特徴とする処理シーケンス編集装置。
【請求項１１】
前記素材表示手段は、前記画像記憶手段に記憶されている画像のうち、複数の第１の画像と、その複数の第１の画像のいずれかに対応する複数の第２の画像と、その複数の第２の画像がそれぞれ第１の画像のいずれに対応しているかとを前記表示手段に表示するとともに、第１の画像に対応する複数の第２の画像を所定の順序で表示するものであって、前記従画像選択手段は、前記主画像選択手段により第１の画像が選択されることに応じて、その第１の画像に対応する第２の画像を前記素材表示手段により表示されている順序に基づいて選択するものであることを特徴とする請求項１０記載の処理シーケンス編集装置。
【請求項１２】
複数の画像を記憶する画像記憶手段と、画像を表示する表示手段と、画像処理の種類に対応する複数の処理アイコンを表示する処理表示手段と、その処理表示手段により表示された複数の処理アイコンの中から所望の処理アイコンを選択する処理選択手段と、前記画像記憶手段に記憶されている複数の画像に対応する素材アイコンを所定の順序で前記表示手段に表示する素材表示手段と、前記処理選択手段により選択された処理アイコンに対応する画像処理において処理される画像を前記素材表示手段により表示されている複数の素材アイコンの中から選択する素材選択手段とを備え、前記処理選択手段により選択された処理アイコンと前記素材選択手段により選択された素材アイコンとを時間軸上に配置することにより処理シーケンスデータを作成する処理シーケンス編集装置において、
前記素材表示手段により表示されている画像の表示順に対応し、前記画像記憶手段に記憶されている画像の記憶位置を記憶する画像アドレス記憶手段と、
前記画像記憶手段に記憶されている任意の画像を前記素材表示手段により表示されるように設定する素材画像設定手段と、
その素材画像設定手段により前記画像記憶手段に記憶されている画像を前記素材表示手段により表示されるように設定されることに応じて、前記画像アドレス記憶手段により記憶された前記画像記憶手段に記憶されている画像の記憶位置を変更する画像アドレス変更手段と、
処理シーケンスデータとして前記素材選択手段により選択された画像の前記素材表示手段により表示されている表示順を記憶する表示順記憶手段とを備えていることを特徴とする処理シーケンス編集装置。
【請求項１３】
前記処理選択手段により選択された処理アイコンと前記素材選択手段により選択された画像に対応する素材アイコンとを前記表示手段により表示された時間軸に並べて表示するトラック表示手段と、
前記素材画像設定手段により、前記画像記憶手段に記憶されている画像を前記素材表示手段により表示されるように設定されることに応じて前記トラック表示手段により表示されている素材アイコンを前記画像アドレス変更手段により変更された画像であり、その画像の前記画像記憶手段に記憶されている記憶位置の画像に対応する素材アイコンに変更するトラック表示変更手段とを備えていることを特徴とする請求項１２記載の処理シーケンス編集装置。
【請求項１４】
前記素材画像設定手段は、前記画像記憶手段に記憶されている複数の画像を一回の操作に応じて前記素材表示手段により表示されるように設定するものであることを特徴とする請求項１２または１３記載の処理シーケンス編集装置。
【発明の詳細な説明】
【技術分野】
【０００１】
本発明は、処理を示すアイコンを時間軸上に配置することにより画像の処理シーケンスデータを作成する処理シーケンス編集プログラムおよび処理シーケンス編集装置に関する。
【背景技術】
【０００２】
表示画面に表示された時間軸上に、最初に表示する画像を設定し、次にその画像の次に表示する画像を設定し、次にこれらの二つの画像を切り替えるなどの効果処理の種類を示す処理アイコンを配置することにより、画像を編集するシーケンスを作成し、そのシーケンスに従って画像を編集する処理シーケンス編集プログラムが知られている。
【０００３】
特許第３３９０９７９号公報（特許文献１）には、コンピュータ画面において、素材とする画像と、その画像を処理する効果の種類を示すアイコンとをそれぞれのトラックに表示し、その表示された画面を設定、または修正することにより画像を編集する画像編集装置および画像編集方法が開示されている。
【特許文献１】特許第３３９０９７９号公報
【発明の開示】
【発明が解決しようとする課題】
【０００４】
上記特許文献１に開示された処理シーケンス編集装置では、まず、編集を行う素材とする第１および第２の画像を指定し、次にその２つの指定した画像間の処理（効果）の種類を指定する必要があり、これらの指定は、面倒なものであった。また、従来は、一つの画面に表示される複数の画像のうちのいずれかを指定して、次に設定される処理においても引き続き処理されるという設定を行うことはできなかった。また、一度作成したシーケンスに設定された複数の画像を変更するには、一つ一つの画像を変更しなければならず手間がかかるものであった。また、画像には、例えば主役的な役割をもつ主画像と、脇役的な役割をもつ従画像などがあり、それぞれの役割に応じて画像を配置するなど設定を行うことはできないという問題点もあった。
【０００５】
本発明は、上記問題点を解決するためになされたもので、簡単な操作により適切に画像を処理する処理シーケンスデータを作成することができる処理シーケンス編集プログラムおよび処理シーケンス編集装置を提供することを目的とする。
【課題を解決するための手段】
【０００６】
上記の目的を達成するために、本発明の請求項１記載の処理シーケンス編集プログラムは、複数の画像を記憶する画像記憶手段と、画像を表示する表示手段とを備え、前記画像記憶手段に記憶されている画像を順次処理して前記表示手段に表示する処理シーケンスデータを作成する処理シーケンス編集装置において実行されるものであって、前記画像記憶手段に記憶されている複数の画像を所定の順序で前記表示手段に表示する素材表示ステップと、画像処理の種類に対応する複数の処理アイコンを前記表示手段に表示する処理表示ステップと、その処理表示ステップによりに表示された複数の処理アイコンの中から所望の処理アイコンを選択することにより画像処理の種類を選択する処理選択ステップと、その処理選択ステップにより処理アイコンが選択されることに応じて、前記素材表示ステップにより表示されている順序に基づいて前記素材表示ステップにより表示されている画像を選択する素材選択ステップと、前記処理選択ステップにより選択された画像処理では、前記素材選択ステップにより選択された画像と、前記処理選択ステップにより選択された画像処理の直前に設定された画像処理において処理される複数の画像のうちの指定された画像とを処理する画像処理ステップとを備えている。
【０００７】
請求項２記載の処理シーケンス編集プログラムは、複数の画像を記憶する画像記憶手段と、画像を表示する表示手段とを備え、前記画像記憶手段に記憶されている画像を順次処理して前記表示手段に表示する処理シーケンスデータを作成する処理シーケンス編集装置において実行されるものであって、画像処理の種類に対応する複数の処理アイコンを前記表示手段に表示する処理表示ステップと、その処理表示ステップにより表示された複数の処理アイコンの中から所望の処理アイコンを選択することにより画像処理の種類を選択する処理選択ステップと、前記画像記憶手段に記憶されている複数の画像を第１の組と第２の組とに分け、それぞれの組において複数の画像を所定の順序で前記表示手段に表示する素材表示ステップと、その素材表示ステップにより表示されている第１の組から前記素材表示ステップにより表示されている順序に基づいて第１の画像を選択し、前記素材表示ステップにより表示されている第２の組から前記素材表示ステップにより表示されている順序に基づいて第２の画像を選択する素材選択ステップと、前記処理選択ステップにより選択された画像処理によって一つの画面に表示される主画像と従画像それぞれに、前記素材選択ステップにより選択された第１の画像と第２の画像とをそれぞれ割り当てる割り当てステップとを備えている。
【０００８】
請求項３記載の処理シーケンス編集プログラムは、複数の画像を記憶する画像記憶手段と、画像を表示する表示手段とを備え、前記画像記憶手段に記憶されている画像を順次処理して前記表示手段に表示する処理シーケンスデータを作成する処理シーケンス編集装置において実行されるものであって、画像処理の種類に対応する複数の処理アイコンを前記表示手段に表示する処理表示ステップと、その処理表示ステップによりに表示された複数の処理アイコンの中から所望の処理アイコンを選択することにより画像処理の種類を選択する処理選択ステップと、前記画像記憶手段に記憶されている画像のうち、複数の第１の画像と、その複数の第１の画像のいずれかに対応する第２の画像と、その第２の画像が複数の第１の画像のいずれに対応しているかとを前記表示手段に表示する素材表示ステップと、その素材表示ステップにより表示されている複数の第１の画像の中から画像を選択する主画像選択ステップと、その主画像選択ステップにより第１の画像が選択されることに応じて、その第１の画像に対応する第２の画像を選択する従画像選択ステップと、前記処理選択ステップにより選択された画像処理によって一つの画面に表示される主画像と従画像に、前記主画像選択ステップにより選択された主画像と前記従画像選択ステップにより選択された従画像とをそれぞれ割り当てる割り当てステップとを備えている。
【０００９】
請求項４記載の処理シーケンス編集プログラムは、請求項３記載の処理シーケンス編集プログラムにおいて、前記素材表示ステップは、前記画像記憶手段に記憶されている画像のうち、複数の第１の画像と、その複数の第１の画像のいずれかに対応する複数の第２の画像と、その複数の第２の画像がそれぞれ第１の画像のいずれに対応しているかとを前記表示手段に表示するとともに、第１の画像に対応する複数の第２の画像を所定の順序で表示するものであって、前記従画像選択ステップは、前記主画像選択ステップにより第１の画像が選択されることに応じて、その第１の画像に対応する第２の画像を前記素材表示ステップにより表示されている順序に基づいて選択するものである。
【００１０】
請求項５記載の処理シーケンス編集プログラムは、複数の画像を記憶する画像記憶手段と、画像を表示する表示手段とを備えた処理シーケンス編集装置において実行され、画像処理の種類に対応する複数の処理アイコンを表示する処理表示ステップと、その処理表示ステップにより表示された複数の処理アイコンの中から所望の処理アイコンを選択する処理選択ステップと、前記画像記憶手段に記憶されている複数の画像に対応する素材アイコンを所定の順序で前記表示手段に表示する素材表示ステップと、前記処理選択ステップにより選択された処理アイコンに対応する画像処理において処理される画像を前記素材表示ステップにより表示されている複数の素材アイコンの中から選択する素材選択ステップとを備え、前記処理選択ステップにより選択された処理アイコンと前記素材選択ステップにより選択された素材アイコンとを時間軸上に配置することにより処理シーケンスデータを作成するものであって、前記素材表示ステップにより表示されている画像の表示順に対応し、前記画像記憶手段に記憶されている画像の記憶位置を記憶する画像アドレス記憶ステップと、前記画像記憶手段に記憶されている任意の画像を前記素材表示ステップにより表示されるように設定する素材画像設定ステップと、その素材画像設定ステップにより前記画像記憶手段に記憶されている画像を前記素材表示ステップにより表示されるように設定されることに応じて、前記画像アドレス記憶ステップにより記憶された前記画像記憶手段に記憶されている画像の記憶位置を変更する画像アドレス変更ステップと、処理シーケンスデータとして前記素材選択ステップにより選択された画像の前記素材表示ステップにより表示されている表示順を記憶する表示順記憶ステップとを備えている。
【００１１】
請求項６記載の処理シーケンス編集プログラムは、請求項５記載の処理シーケンス編集プログラムにおいて、前記処理選択ステップにより選択された処理アイコンと前記素材選択ステップにより選択された画像に対応する素材アイコンとを前記表示手段により表示された時間軸に並べて表示するトラック表示ステップと、前記素材画像設定ステップにより、前記画像記憶手段に記憶されている画像を前記素材表示ステップにより表示されるように設定されることに応じて前記トラック表示ステップにより表示されている素材アイコンを前記画像アドレス変更ステップにより変更された画像であり、その画像の前記画像記憶手段に記憶されている記憶位置の画像に対応する素材アイコンに変更するトラック表示変更ステップとを備えている。
【００１２】
請求項７記載の処理シーケンス編集プログラムは、請求項５または６記載の処理シーケンス編集プログラムにおいて、前記素材画像設定ステップは、前記画像記憶手段に記憶されている複数の画像を一回の操作に応じ前記素材表示ステップにより表示されるように設定するものである。
【００１３】
請求項８記載の処理シーケンス編集装置は、複数の画像を記憶する画像記憶手段と、画像を表示する表示手段とを備え、前記画像記憶手段に記憶されている画像を順次処理して前記表示手段に表示する処理シーケンスデータを作成するものであって、前記画像記憶手段に記憶されている複数の画像を所定の順序で前記表示手段に表示する素材表示手段と、画像処理の種類に対応する複数の処理アイコンを前記表示手段に表示する処理表示手段と、その処理表示手段によりに表示された複数の処理アイコンの中から所望の処理アイコンを選択することにより画像処理の種類を選択する処理選択手段と、その処理選択手段により処理アイコンが選択されることに応じて、前記素材表示手段により表示されている順序に基づいて前記素材表示手段により表示されている画像を選択する素材選択手段と、前記処理選択手段により選択された画像処理では、前記素材選択手段により選択された画像と、前記処理選択手段により選択された画像処理の直前に設定された画像処理において処理される複数の画像のうちの指定された画像とを処理する画像処理手段とを備えている。
【００１４】
請求項９記載の処理シーケンス編集装置は、複数の画像を記憶する画像記憶手段と、画像を表示する表示手段とを備え、前記画像記憶手段に記憶されている画像を順次処理して前記表示手段に表示する処理シーケンスデータを作成するものであって、画像処理の種類に対応する複数の処理アイコンを前記表示手段に表示する処理表示手段と、その処理表示手段により表示された複数の処理アイコンの中から所望の処理アイコンを選択することにより画像処理の種類を選択する処理選択手段と、前記画像記憶手段に記憶されている複数の画像を第１の組と第２の組に分け、それぞれの組において複数の画像を所定の順序で前記表示手段に表示する素材表示手段と、その素材表示手段により表示されている第１の組から前記素材表示手段により表示されている順序に基づいて第１の画像を選択し、前記素材表示ステップにより表示されている第２の組から前記素材表示手段により表示されている順序に基づいて第２の画像を選択する素材選択手段と、前記処理選択手段により選択された画像処理によって一つの画面に表示される主画像と従画像それぞれに、前記素材選択手段により選択された第１の画像と第２の画像とをそれぞれ割り当てる割り当て手段とを備えている。
【００１５】
請求項１０記載の処理シーケンス編集装置は、複数の画像を記憶する画像記憶手段と、画像を表示する表示手段とを備え、前記画像記憶手段に記憶されている画像を順次処理して前記表示手段に表示する処理シーケンスデータを作成するものであって、画像処理の種類に対応する複数の処理アイコンを前記表示手段に表示する処理表示手段と、その処理表示手段により表示された複数の処理アイコンの中から所望の処理アイコンを選択することにより画像処理の種類を選択する処理選択手段と、前記画像記憶手段に記憶されている画像のうち、複数の第１の画像と、その複数の第１の画像のいずれかに対応する第２の画像と、その第２の画像が複数の第１の画像のいずれに対応しているかとを前記表示手段に表示する素材表示手段と、その素材表示手段により表示されている複数の第１の画像の中から画像を選択する主画像選択手段と、その主画像選択手段により第１の画像が選択されることに応じて、その第１の画像に対応する第２の画像を選択する従画像選択手段と、前記処理選択手段により選択された画像処理によって一つの画面に表示される主画像と従画像に、前記主画像選択手段により選択された主画像と前記従画像選択手段により選択された従画像とをそれぞれ割り当てる割り当て手段とを備えている。
【００１６】
請求項１１記載の処理シーケンス編集装置は、請求項１０記載の処理シーケンス編集装置において、前記素材表示手段は、前記画像記憶手段に記憶されている画像のうち、複数の第１の画像と、その複数の第１の画像のいずれかに対応する複数の第２の画像と、その複数の第２の画像がそれぞれ第１の画像のいずれに対応しているかとを前記表示手段に表示するとともに、第１の画像に対応する複数の第２の画像を所定の順序で表示するものであって、前記従画像選択手段は、前記主画像選択手段により第１の画像が選択されることに応じて、その第１の画像に対応する第２の画像を前記素材表示手段により表示されている順序に基づいて選択するものである。
【００１７】
請求項１２記載の処理シーケンス編集装置は、複数の画像を記憶する画像記憶手段と、画像を表示する表示手段と、画像処理の種類に対応する複数の処理アイコンを表示する処理表示手段と、その処理表示手段により表示された複数の処理アイコンの中から所望の処理アイコンを選択する処理選択手段と、前記画像記憶手段に記憶されている複数の画像に対応する素材アイコンを所定の順序で前記表示手段に表示する素材表示手段と、前記処理選択手段により選択された処理アイコンに対応する画像処理において処理される画像を前記素材表示手段により表示されている複数の素材アイコンの中から選択する素材選択手段とを備え、前記処理選択手段により選択された処理アイコンと前記素材選択手段により選択された素材アイコンとを時間軸上に配置することにより処理シーケンスデータを作成するものであって、前記素材表示手段により表示されている画像の表示順に対応し、前記画像記憶手段に記憶されている画像の記憶位置を記憶する画像アドレス記憶手段と、前記画像記憶手段に記憶されている任意の画像を前記素材表示手段により表示されるように設定する素材画像設定手段と、その素材画像設定手段により前記画像記憶手段に記憶されている画像を前記素材表示手段により表示されるように設定されることに応じて、前記画像アドレス記憶手段により記憶された前記画像記憶手段に記憶されている画像の記憶位置を変更する画像アドレス変更手段と、処理シーケンスデータとして前記素材選択手段により選択された画像の前記素材表示手段により表示されている表示順を記憶する表示順記憶手段とを備えている。
【００１８】
請求項１３記載の処理シーケンス編集装置は、請求項１２記載の処理シーケンス編集装置において、前記処理選択手段により選択された処理アイコンと前記素材選択手段により選択された画像に対応する素材アイコンとを前記表示手段により表示された時間軸に並べて表示するトラック表示手段と、前記素材画像設定手段により、前記画像記憶手段に記憶されている画像を前記素材表示手段により表示されるように設定されることに応じて前記トラック表示手段により表示されている素材アイコンを前記画像アドレス変更手段により変更された画像であり、その画像の前記画像記憶手段に記憶されている記憶位置の画像に対応する素材アイコンに変更するトラック表示変更手段とを備えている。
【００１９】
請求項１４記載の処理シーケンス編集装置は、請求項１２または１３記載の処理シーケンス編集装置において、前記素材画像設定手段は、前記画像記憶手段に記憶されている複数の画像を同時に前記素材表示手段により表示されるように設定するものである。
【発明の効果】
【００２０】
請求項１記載の処理シーケンス編集プログラムまたは請求項８記載の処理シーケンス編集装置によれば、処理選択ステップまたは処理選択手段により複数の画像処理の中から所望の画像処理が選択され、その選択された画像処理において、直前に設定された画像処理により処理される複数の画像の内の指定された画像と、素材選択ステップまたは素材選択手段により所定の順序で表示されている複数の画像の中から表示されている順序に基づいて選択された画像とが処理されるので、処理選択ステップまたは処理選択手段により選択された画像処理において、その直前の画像処理において最後に処理される画像を処理する場合に比べ、直前の画像処理において、より主要な画像を今回の画像処理でも処理することができる。よって、直前の画像処理との繋がりがより良く維持された画像処理を行うことができ、処理を選択するという簡単な操作により適切な画像が選択される処理シーケンスデータを作成することができるという効果がある。
【００２１】
請求項２記載の処理シーケンス編集プログラムまたは請求項９記載の処理シーケンス編集装置によれば、表示手段に、複数の画像を第１の組と第２の組に分け、それぞれの組において複数の画像は所定の順序で表示される。素材選択ステップまたは素材選択手段により第１の組から表示されている順序に基づいて第１の画像と、第２の組から表示されている順序に基づいて第２の画像が選択される。画像処理ステップまたは画像処理手段により、一つの画面に主画像と従画像が表示され、割り当てステップまたは割り当て手段により、主画像と従画像とに、素材選択ステップまたは素材選択手段により選択された第１の画像と第２の画像とがそれぞれ割り当てられる。よって、画像処理される主画像および従画像に適切な画像を割り当てることができ、簡単な操作で適切に画像処理を行う処理シーケンスデータを作成することができるという効果がある。
【００２２】
請求項３記載の処理シーケンス編集プログラムまたは請求項１０記載の処理シーケンス編集装置によれば、表示手段に複数の第１の画像とその第１の画像に対応する第２の画像とが表示され、主画像選択ステップまたは主画像選択手段により第１の画像が選択されると従画像選択ステップまたは従画像選択手段により、第１の画像に対応する第２の画像が選択される。これらの選択された第１の画像と第２の画像は、割り当てステップまたは割り当て手段により、画像処理によって一つの画面に表示される主画像と従画像にそれぞれ割り当てられる。よって、主画像にとする第１の画像に対応して従画像とする第２の画像を設定しておくことにより、主画像に対応する適切な従画像が選択される。よって、簡単な操作で適切な処理シーケンスデータを作成することができるという効果がある。
【００２３】
請求項４記載の処理シーケンス編集プログラムまたは請求項１１記載の処理シーケンス編集装置によれば、請求項３に記載の処理シーケンス編集プログラムまたは、請求項１０に記載の処理シーケンス編集装置の奏する効果に加え、表示手段により複数の第２の画像は、それぞれ第１の画像のいずれに対応するかが表示されるとともに、第１の画像に対応する複数の第２の画像は、所定の順序で表示され、従画像選択ステップまたは従画像選択手段により第１の画像が選択されることに応じて、その第１の画像に対応する第２の画像が表示されている順序に基づいて選択される。よって、第２の画像を所望の順序で表示手段に表示しておくだけで、第１の画像に対応する第２の画像が順に選択され、簡単な操作で処理シーケンスデータを作成することができるという効果がある。
【００２４】
請求項５記載の処理シーケンス編集プログラムまたは請求項１２記載の処理シーケンス編集装置によれば、画像アドレス記憶ステップまたは画像アドレス記憶手段により、素材表示ステップにより表示されている画像の表示順に対応し、画像記憶手段に記憶されている画像の記憶位置が記憶され、素材画像設定ステップまたは素材画像設定手段により任意の画像を素材表示ステップまたは素材表示手段により表示されるように設定すると、画像アドレス記憶ステップまたは画像アドレス記憶手段により記憶されている画像の表示順に対応する画像の記憶位置が画像アドレス変更ステップまたは画像アドレス変更手段により変更され、処理シーケンスデータとしては、表示順記憶ステップまたは表示順記憶手段により素材表示手段により表示されている表示順が記憶されている。よって、処理シーケンスデータとして複数の処理において同一の画像を処理するものと設定され、その画像を変更する際には、素材表示ステップにより表示されている画像を変更するだけで、処理シーケンスデータに設定されている複数の画像を一度に変更することができるという効果がある。
【００２５】
請求項６記載の処理シーケンス編集プログラムまたは請求項１３記載の処理シーケンス編集装置によれば、請求項５記載の処理シーケンス編集プログラムまたは請求項１２記載の処理シーケンス編集装置の奏する効果に加え、トラック表示ステップまたはトラック表示手段により、処理選択手段により選択された処理アイコンと素材選択手段により選択された画像に対応する素材アイコンとが表示手段に表示された時間軸に並べて表示され、素材画像設定ステップまたは素材画像設定手段により、画像を素材表示ステップまたは素材表示手段により表示されるように設定されることに応じてトラック表示ステップまたはトラック表示手段により表示されている素材アイコンを画像アドレス変更ステップまたは画像アドレス変更手段により変更された画像に対応する素材アイコンに変更される。よって、ユーザはトラック上に表示された素材アイコンが変更されたことを確認することができるという効果がある。
【００２６】
請求項７記載の処理シーケンス編集プログラムまたは請求項１４記載の処理シーケンス編集装置によれば、請求項５または６に記載の処理シーケンス編集プログラムまたは請求項１２または１３記載の処理シーケンス編集装置の奏する効果に加え、素材画像設定ステップまたは素材画像設定手段により、画像記憶手段に記憶されている複数の画像を一回の操作に応じて素材表示ステップまたは素材表示手段により表示されるように設定されるので、処理シーケンスデータとして設定されている複数の画像が異なる画像である場合に、逐一変更することなく、一回の操作で変更することができ、簡単な操作で処理シーケンスデータを作成することができるという効果がある。
【発明を実施するための最良の形態】
【００２７】
以下、本発明の好ましい実施例について、添付図面を参照して説明する。図１は、本発明の実施例における処理シーケンス編集装置１の電気的構成を示すブロック図である。
【００２８】
この処理シーケンス編集装置１は、ＣＰＵ１１と、ＣＰＵ１１が実行する制御プログラムや各種データなどを記憶する読出し専用のメモリであるＲＯＭ１２と、ＣＰＵ１１が制御プログラムを実行する際に、その制御プログラムを記憶し、各種データを一時記憶するレジスタ群などを設定したワークエリアを有するＲＡＭ１３と、ユーザが画像の編集を行う際に画像処理の種類を示す処理アイコンなどをドラッグしたり、各種パラメータを設定するマウスなどの操作子１４と、画像データなどを記憶するハードディスク（ＨＤＤ）１５と、デジタルカメラなどが記憶している静止画データを入力するＵＳＢインターフェース１６と、動画データをビデオカメラやビデオレコーダーなどの外部機器と入出力するビデオ信号インターフェース１７と、外部メディアを着脱自在に装着する外部メディアスロット１８と、画像データの表示や編集画面が表示される液晶モニタなどの表示器２０およびビデオＲＡＭを有する表示回路１９とを主に備えている。
【００２９】
ＣＰＵ１１は、いわゆるマイクロプロセッサであり、ＲＯＭ１２に記憶されている制御プログラムおよびハードディスク１５に記憶されているＯＳ（オペレーティングシステム）に従って各種アプリケーションプログラムを実行するものである。
【００３０】
ＲＡＭ１３は、いくつかの画像処理を行う順序を設定してシーケンスデータ１３ｄを作成するための処理シーケンス編集プログラム１３ａと、処理パレット表１３ｂ、素材パレット表１３ｃおよび作成されるシーケンスデータ１３ｄとが記憶される電源を切ると記憶した内容が失われてしまうメモリである。。
【００３１】
処理シーケンス編集プログラム１３ａは、ハードディスク１５に記憶され、シーケンスデータ１３ｄを作成する際にＲＡＭ１３に転送される制御プログラムである。この処理シーケンス編集プログラム１３ａは、表示器２０に編集を行うための編集画面を表示し、その画面における設定に従って、シーケンスデータ１３ｄを作成または編集するプログラムである。編集画面は、図２に示すように、複数の処理の中から所望の処理を選択するための複数の処理を表す処理アイコンを表示する処理パレット２２と、その選択された処理により処理される素材を設定するために素材を表す複数の素材アイコンを表示する素材パレット２３と、選択された処理アイコンを順次時間軸上に配置することによりシーケンスを作成するトラック３２，３３と、各種パラメータを表示あるいは設定するためのアイコンや表示窓などを有する。
【００３２】
処理パレット表１３ｂは、画像に対して行う効果付与などの各種処理に対応して、その処理を表すアイコンと、その処理に設定された処理に要する時間と、その処理により処理される画像の数と、その処理を行うプログラムが記憶されているアドレスと、その処理に設定されているパラメータなどが記憶されている（図７（ａ）参照）。
【００３３】
素材パレット表１３ｃは、ハードディスク１５に素材データ１５ｂとして記憶されている多数の素材の中から、シーケンスを作成する素材として選択されたものを記憶する領域であり、素材パレット２３に表示される順序と、画像の番号と、その画像が記憶されているハードディスク１５のアドレスとが各素材アイコンに対応して記憶されている（図７（ｂ）参照）。なお、画像のアイコンは、静止画の場合は、その静止画のサイズを縮小したものであり、動画の場合は、動画の一コマを縮小した画像が記憶されている。
【００３４】
シーケンスデータ１３ｄは、編集画面にトラックとして表示された時間軸上に処理アイコンが配置されることにより、配置された時刻にその処理を行うように記憶されるものである。処理アイコンが選択され、トラック上に配置されることにより、処理される画像が素材パレット２３に表示されている順序にしたがって選択される。
【００３５】
ハードディスク１５には、アプリケーションプログラムである各種画像や音を処理する処理プログラム１５ａと、静止画データや動画データなどの画像データ、サウンドデータや自動演奏データなどの素材データ１５ｂと、プロジェクトデータ１５ｃとが記憶されている。
【００３６】
処理プログラム１５ａとしては、サウンドや自動演奏を編集するプログラムや、形成された音声に音響効果を付与するプログラムなどが記憶されている。処理プログラム１５ａにより画像に付与する効果としては、例えば、画像が単一である場合には、画像に荒いモザイクを施し、次第にモザイクの大きさが細かくなって、やがてモザイクが消えるような効果や、カラー画像が、徐々にモノクロに変化する効果などがある。また、二つの画像を切り替える場合の効果には、種々のワイプやディゾルブやクロマキーなどの効果がある。
【００３７】
素材データ１５ｂは、静止画像、動画像、タイトルなどのロゴ、テロップなどのテキストデータ、音楽や効果音などのサウンドデータや、自動演奏を行う自動演奏データなどである。これらの素材データ１５ｂは、ジャンルやグループに分類されて、フォルダ内に収容されて、記憶されている。
【００３８】
プロジェクトデータ１５ｃは、ＲＡＭ１３に記憶された素材パレット表１３ｃとシーケンスデータ１３ｄを一つの作品としたものである。
【００３９】
ＵＳＢインターフェース１６は、ＵＳＢ（Universal Serial Bus）規格のインターフェースで、デジタルカメラなどの画像データの転送などに使用される。ビデオ信号インターフェース１６は、ビデオ信号の入出力を行うインターフェースで、テレビ放送で用いられる、アナログやデジタルのコンポジットあるいはＲＧＢ信号を入出力するもので、デジタル伝送方式としてはＩＥＥＥ１３９４などがその代表である。
【００４０】
外部メディアスロット１８は、コンパクトディスク（登録商標）などの外部メディアを装着し、外部メディアに記憶されている画像データを入力することができるものである。
【００４１】
表示回路１９は、ビデオＲＡＭとそのビデオＲＡＭに記憶した表示データを表示器２０に送信することにより画像を表示するように制御するものであり、表示器２０は、液晶などにより構成される大画面の表示器である。
【００４２】
次に、図２を参照して、シーケンスを作成する編集画面について説明する。図２は、表示器２０に表示される編集画面を示すもので、左上には、プレビュー画面２１と、中央上部には、処理の種類を示す処理アイコン（Ａ−１、Ａ−２、・・・）を複数表示する処理パレット２２と、右上には、素材である静止画や動画をそれぞれ示す素材アイコン（Ｇ−１、Ｇ−２・・・）を複数表示する素材パレット２３とが表示されている。
【００４３】
プレビュー画面２１は、編集されたシーケンスに従って画像を再生し表示する領域である。この画面に表示される画面の変化と、下方に表示されるトラックの現在位置とから、画面とシーケンスの設定状態とを対比することができる。このプレビュー画面２１の下方には、フルスクリーン表示アイコン６４が表示されている。このフルスクリーン表示アイコン６４をマウスでクリックすることにより、トグル動作でオンまたはオフに設定することができ、オンに設定されている場合には、アイコン中に○が表示され、オフに設定されている場合には、アイコン中に何も表示されない。
【００４４】
このフルスクリーン表示アイコン６４がオンに設定されている場合に、再生開始アイコン２７が操作されて再生の開始が指示された場合は、再生される画像は画面いっぱいに表示され、再生が停止されると編集画面の表示に戻る。
【００４５】
処理パレット２２は、効果などの画像の処理の種類に対応する処理アイコンが多数表示され、この処理アイコンの一つをマウスでトラック上にドラッグすることにより、一連のシーケンスにおいて、処理を実行する時間を設定することができる。
【００４６】
素材パレット２３には、デジタルカメラなどにより撮影された画像データを示すアイコン（画像を小さく表示している）を多数表示し、処理パレット２２から処理アイコンがトラック上に設定された場合は、その処理に対応して記憶されている処理される画像データ数（素材数）に応じて、素材パレット２３に表示するように記憶されている順序で選択される。
【００４７】
素材パレット２３の下方に示されているロードアイコン７２は、ハードディスク１５に記憶されている素材データ１５ｂからこの素材パレット２３に表示するように指示するアイコンであって、素材パレット２３に表示されているいずれのアイコンを指定しないでロードアイコン７２をクリックすると、ダイアログが開き、そのダイアログに、素材データ１５ｂに記憶されている画像を記録した複数のフォルダが表示される。この表示された複数のフォルダの一つを選択すると、素材パレット２３に表示されているすべてのアイコンは、フォルダに記憶されている画像のアイコンに入れ替えられる。
【００４８】
素材パレット２３に表示されているアイコンの一つを入れ替える場合には、その画像のアイコンをマウスでダブルクリックする。この操作により、ダイアログが開き、素材データ１５ｂに記憶されている画像のフォルダが表示され、さらにフォルダを開くと画像のリストが表示されるので、そのリストの中の一つを選択することによりダブルクリックされた画像を置き換えることができる。
【００４９】
素材パレット２３に表示されているアイコンのうち、消去したいアイコンがあれば、まず、マウスでそのアイコンをクリックし、つぎにクリアアイコン７３をクリックすることにより、そのアイコンを素材パレット２３から消去することができる。消去すると、そのアイコンの区画には空白が表示される。
【００５０】
処理パレット２２および素材パレット２３には、右端にスクロールバー３９、４０がそれぞれ表示され、このスクロールバー３９、４０をマウスで操作することにより、表示器に表示されている処理アイコンまたは素材となる画像データを示すアイコンをスクロールして表示することができる。
【００５１】
編集画面の下方には、時間軸３７と、バックトラック３２と、フロントトラック３３と、サウンドトラック３４とが表示されている。時間軸３７は、バックトラック３２、フロントトラック３３、サウンドトラック３４に共通の時間軸を表すもので、時間の単位を最初の２桁で分を表し、次の２桁で秒を表す。編集画面に表示される時間軸３７の時間は、時間を拡大または縮小を設定するアイコン７４、７５、７６（後述）とサウンドトラックの下方に表示されているスクロールバー３８の設定により変更することができる。図２では、編集画面に３０秒間の時間軸３７が表示されている。
【００５２】
各トラックは、トラック上に処理アイコンなどを設置することにより、その設置された時刻に設置されたアイコンが示す処理を開始することなどを設定するものである。このトラック上で設定された情報が、シーケンスデータ１３ｄとして記憶される。
【００５３】
バックトラック３２は、先頭に処理アイコンＡ−４６が配置され、続いて素材アイコンＧ−１とＧ−２とＧ−３とが表示されている。この場合には、画像処理Ａ−４６は、３つの画像データＧ−１とＧ−２とＧ−３とに対して処理を行うことを示している。Ａ−４６の画像処理の次に、処理アイコンＡ−８が表示され、続いてＧ−１と、Ｇ−４の２つの画像データが表示されている。この場合には、画像処理Ａ−８は、２つの画像データＧ−１とＧ−４に対して処理を行うものである。
【００５４】
処理アイコンがトラック上に設定されると、その処理アイコンにより特定される処理により処理される素材となる画像データが設定され、トラック上の処理アイコンに続いて表示される。一方、この素材を変更する場合には、所望の素材アイコンをマウスにより変更したい素材アイコンまでドラッグすることにより変更される。
【００５５】
なお、素材となる画像データは、フロント表示用のグループと、バック表示用グループと、テキストグループなどに分類されて記憶されている。フロントとは、バックに優先して、バック（背景）として表示されている画像の上に表示される画像である。
【００５６】
フロントトラック３３には、フロント表示用として記憶されている画像データが設定され、バックトラック３２には、バック表示用として記憶された画像データが設定される。また、サウンドトラック３４には、音声や音楽が画像と同様にして設定される。
【００５７】
これらのトラック毎の設定を行うには、処理パレット２２および素材パレット２３の上部に示されるそれぞれのタブ６３をクリックする。いずれかのタブをクリックすると、処理パレット２２および素材パレットが、選択されたトラックに対応するパレットに置き換えられる。
【００５８】
サウンドトラック３４の下には、トラック用のスクロールバー３８が表示され、一連のシーケンスのうち画面に表示されていない部分を移動させて表示することができる。
【００５９】
また、トラックの表示の右上には、トラックの表示の拡大、縮小を指示する虫眼鏡を図形とするアイコンが表示されている。虫眼鏡のレンズ内にマイナスを表示したトラック縮小表示アイコン７４をクリックすると、クリックする毎に所定の割合でトラックの時間軸が縮小して表示され、虫眼鏡のレンズ内にプラスを表示したトラック拡大表示アイコン７６をクリックすると、クリックする毎に所定の割合でトラックの時間軸が拡大して表示される。虫眼鏡のレンズ内に何も表示されていないトラック所定表示アイコン７５をクリックすると、画面には、３０秒の長さのトラックが表示される。
【００６０】
なお、第１の処理アイコンを第１の時刻に設定することによりその第１の処理アイコンに対応する第１の処理の開始時刻がその第１の時刻に設定される。次に、第２の処理アイコンを第１の時刻の後の第２の時刻に設定すると、その第２の時刻に第１の処理が終了し、第２の処理アイコンに対応する処理が開始される。したがって、第１の処理は第１の時刻から第２の時刻まで行われ、この一つの処理をクリップといい、第１の時刻から第２の時刻までの時間をクリップ時間という。
【００６１】
図２に示されているバックトラック３２では、処理アイコンＡ−４６が設定された時刻から処理アイコンＡ−８が設定された時刻までが、処理Ａ−４６が行われる一つのクリップである。図２に、処理Ａ−８、処理４−４６それぞれのクリップを一点鎖線３６で示す。処理アイコンが設定されるとクリップを示す領域がトラック内に表示される。
【００６２】
クリップを指定するには、この一点鎖線で示した領域内の任意の箇所をマウスでクリックする。指定されたクリップは、その領域の表示を反転するなどして、ユーザに報知される。後述するように、クリップを指定し、クリップを移動したり、コピーしたり、消去することができる。
【００６３】
処理パレット２２の下方には、シーケンスの再生を指示する操作用アイコンが表示されている。左端の左向き矢印の頭出しアイコン２４は、シーケンスの先頭に再生位置を設定するもの、その右の巻き戻しアイコン２５は、再生位置をシーケンスの先頭方向へ戻すように指示するもの、正方形が描かれている停止アイコン２６は、再生の停止を指示するもの、その隣の右方向を示す三角形が描かれている再生開始アイコン２７は、再生の開始を指示するもの、その右隣りのアイコンは、再生位置をシーケンスの先の方へ早く移動するように指示するもの、そしてその右の隣の右向きの矢印の終端アイコン２９は、再生位置をシーケンスの終端へ設定するものである。
【００６４】
その右隣の矢印が二つ輪のように連なっているループアイコン３０は、シーケンスを繰り返し再生するように指示するもので、このアイコンがオンに設定された場合は、シーケンスの終端まで再生されると再びシーケンスの最初から再生される。
【００６５】
ループアイコン３０の右隣りには、シーケンスの先頭から現在再生されている再生位置の時刻を表示する現在時刻表示７７が配置されている。上位２桁は、分を、次の２桁は秒を、最後の３桁はミリ秒を表示するものである。
【００６６】
トラック表示の左上には、自動スクロールアイコン６５が表示され、このアイコンをオンに設定すると、再生中に、トラックの表示が再生に合わせてスクロールされ、再生されている画面と各トラックに設定されてるアイコンとを見比べて確認することができる。
【００６７】
その自動スクロールアイコン６５の右隣のクリップ移動アイコン６６は、あるクリップを移動操作する場合に、そのクリップを単独で移動するのか、後続の全クリップの開始時間が平行に移動するかを選択することができるものである。すなわち、このクリップ移動アイコン６６をオフの状態で、例えば２番目のクリップを前に移動すると、２番目のクリップの開始時刻は、移動するが、３番目以降のクリップは、移動しない。従って、この場合には１番目のクリップのクリップ時間は短縮され、２番目のクリップのクリップ時間が延長される。
【００６８】
一方、このクリップ移動アイコン６６をオンの状態で、２番目のクリップを前方に移動すると、２番目以降の全クリップの開始時間が、それらの間隔を維持したまま前方へ移動される。従って、この場合には、１番目のクリップのクリップ時間は短縮され、トラックの最後に設定されているクリップのクリップ時間が延長される。
【００６９】
消去アイコン６７は、クリップの消去を指示するもので、まず消去するクリップをマウスでクリックし、クリップの領域が反転表示されたのを確認して、この消去アイコン６７をクリックすることにより消去することができる。あるクリップが消去されると、そのクリップの前に設定されているクリップが、消去されたクリップの次に設定されているクリップまで、延長される。トラックの最後のクリップが消去された場合には、そのクリップの前に設定されているクリップが、トラックの最後まで延長される。
【００７０】
コピーアイコン６８は、クリップのコピーを指示するもので、コピーしたいクリップをマウスでクリックし、続いてこのコピーアイコン６８をクリックする。このコピーしたクリップを貼り付ける場合には、マウスで貼付けたいトラック上の位置をクリックして指定し、次にペーストアイコン６９をクリックすることにより、コピーされたクリップが貼付けられる。このようにして、クリップを消去、または貼付を行ったが、間違えて消去したり貼り付けた場合には、アンドゥアイコン７０をクリックすることにより、一つ前の状態へ復帰することができる。
【００７１】
シーケンスデータ１３ｄの編集が完成すると、その完成したシーケンスデータ１３ｄを保存することができる。この編集画面の最上部に表示されているセーブアイコン６２をクリックすることにより、ＲＡＭ１３に記憶されている素材パレット表１３ｃおよびシーケンスデータ１３ｄは、プロジェクトデータ１５ｃとしてハードディスク１５に記憶される。記憶する際に、プロジェクトに名前を付して記憶する。
【００７２】
記憶したプロジェクトを、再生する場合または編集する場合は、セーブアイコン６２の左隣のチェンジアイコン６１をクリックする。チェンジアイコン６１をクリックすると、ダイアログが開き、ハードディスク１５に記憶されたプロジェクトデータ１５ｃのリストが表示され、そのリストから一つのプロジェクトを選択することにより、そのプロジェクトのデータがＲＡＭ１３に転送される。
【００７３】
次に、各画像処理のパラメータを設定する方法について説明する。処理パレット２２に表示されている処理アイコン、またはトラックの時間軸の所定の時刻に設定された処理アイコンを指定することにより、処理アイコンに対応する処理のパラメータを設定することができる。処理パレット２２に表示されている処理アイコンを指定してパラメータを設定した場合には、その設定以降にトラックに設定された処理アイコンがその設定されたパラメータで動作するが、トラックに設定された処理アイコンを指定してパラメータを設定した場合には、処理パレット２２に表示されている処理アイコンの処理のパラメータを変更しない。したがって、この場合には、トラックに設定されている処理のパラメータだけが変更される。
【００７４】
処理パレット２２に表示されている処理アイコン、またはトラックに表示されている処理アイコンをクリックし、編集画面のトラックの中央上に表示されている処理情報アイコン７１をクリックすると、指定された処理アイコンに対応する処理のパラメータ設定画面が表示される。このパラメータ設定画面を、図３，図４、および図５に示す。
【００７５】
図３は、処理パレット２２の８番目に表示されているワイプと呼ばれる処理（Ａ−８）のパラメータ設定画面を示す図である。処理アイコン４１が示すように、第１の画像Ａを表示している状態から、第２の画像Ｂを右方から左方へ徐々に移動して表示を切り換える処理である。この処理時間４３は、１０秒に設定されている。この場合には、処理を開始して最初の処理時間４３の３分の１の時間である３．３秒は、画像Ａを表示し、次の３．３秒の間は、徐々に画像Ａから画像Ｂに切り替わり、残りの３．３秒は、画像Ｂが表示される。この処理時間４３を変更する場合は、処理時間４３を設定するスライドアイコン５０をマウスで操作する。スライドアイコン５０を右方に移動すれば、処理時間４３は長く設定され、左方へ移動すると短く設定される。同様に、画像Ａ、ＢのＹ座標（上下方向）４４も、スライドアイコン５４をマウスで操作し、スライドアイコン５４を右方に移動すれば、Ｙ座標を上方に、左方へ移動すると下方へ設定することができる。なお、図２のバックトラック３２に示される処理時間マーク３５は、処理の開始からの処理時間を示すものであり、上述のようにして処理時間４３が変更されると、この処理時間マークの表示位置も変更される。
【００７６】
引き継ぎアイコン５５は、この処理アイコンがトラックに配置された場合に、先に設定されている処理において設定されている素材を引き継ぐか否かを設定するアイコンである。この引き継ぎアイコン５５は、マウスでクリックすることによりトグル動作でオンまたはオフに設定され、オンに設定されている場合にはアイコンの内部に○が表示され、オフに設定されている場合には何も表示されない。
【００７７】
この引き継ぎアイコン５５がオンに設定されている場合に処理アイコンがトラックに設定されると、直前に設定されている処理において最後に表示される画像などの特定の画像が、この処理において、最初に処理される画像などの特定の画像として設定される。
【００７８】
一方、引き継ぎアイコン５５がオフに設定されている場合に処理アイコンがトラックに設定されると、直前に設定されている処理において最後に表示された画像などの特定の画像の次に素材パレット２３に表示されている画像が、この処理において、最初に処理される画像などの特定の画像として設定される。
【００７９】
各処理のパラメータには、予めプリセット値が記憶されており、リセットアイコン４５をクリックすると、プリセット値に設定される。素材表示領域であるフォト４２には、選択されている第１の画像Ａと第２の画像Ｂをそれぞれ示す素材アイコンが表示されている。
【００８０】
再生開始アイコン４７をクリックすると、プレビュー画面２１に設定されたパラメータに従って処理が行われた画像が表示される。再生停止アイコン４６をクリックすると再生が停止される。この処理パラメータ設定画面が、トラックに表示されている処理アイコンを指定することにより開かれた場合には、素材となる画像が特定されているが、処理パレット２２に表示されている処理アイコンを指定して開かれた場合には、素材となる画像は特定されていない。この場合には、各処理毎に、例えばＡやＢの文字を表示する特定の画面を予め記憶しており、この特定の画面がプレビュー画面２１に表示される。したがって、処理パラメータ設定画面において各種行った設定を、プレビュー画面２１で確認することができる。
【００８１】
このようにして設定したパラメータを登録する場合には、ＯＫアイコン４９をクリックする。また、パラメータを設定したが、もとの設定でよい場合には、キャンセルアイコン４８をクリックする。このキャンセルアイコン４８またはＯＫアイコン４９をクリックするとパラメータ設定画面が、消去され、編集画面に戻る。
【００８２】
図４は、処理パレット２２の４６番目に表示されている処理（Ａ−４６）のパラメータ設定画面を示す図である。この処理は、第１の画像Ａを画面中央に比較的大きく表示し、この画像Ａの周囲を画像Ａよりは小さく表示された第２の画像Ｂと第３の画像Ｃとが回転して表示されるというものである。
【００８３】
素材表示領域であるフォト４２に示される画像Ａには、右上にＭのマークが付されている。このＭは、第１の画像Ａには、主画像を素材とすることを意味している。素材表示領域に表示されている画像は、Ｍのマークが付された主画像と、それ以外の従画像に分類されている。
【００８４】
主画像は、トラック上において次に設定された処理が引き継ぎを行うと設定されている場合に、引き継がれるものである。例えば、この４６番目の処理がトラック上に設定されて、次に上記８番目の処理が設定された場合に、８番目の処理が引き継ぎを行うと設定されていれば、８番目の処理の最初に処理される画像は、４６番目の処理の主画像である第１の画像Ａである。なお、８番目の処理が引き継ぎを行わないと設定されている場合には、８番目の処理の最初に処理される画像は、４６番目の処理において選択される最後の画像である第３画像Ｃの次に素材パレット２３に表示されている画像が選択される。
【００８５】
この画像処理Ａ−４６におけるパラメータとしては、静止画Ｂの回転速度および静止画Ｃの回転速度、背景の色（バックカラー）がある。これらの処理パラメータ５３も、それぞれスライドアイコンをマウスで操作することにより任意に設定することができる。その他のアイコンについては、上述のアイコンと同一であるので説明を省略する。
【００８６】
図５は、処理パレット２２の５９番目に表示されている処理（Ａ−５９）のパラメータ設定画面を示す図である。この処理は、最初、第１の画像Ａ、第２の画像Ｂ、第３の画像Ｃおよび第４の画像Ｄを、画面を４つの区画に等分したそれぞれの区画に表示し、次に画像Ａが徐々に大きく表示されて全画面に表示されるという処理である。処理時間４３が１０秒に設定されている場合には、最初の３分の１の時間である３．３秒間は、４つの画像が等分された区画に表示され、つぎの３．３秒間で、画像Ａが、徐々に拡大表示されて全画面に表示され、最後の３．３秒間は画像Ａが、全画面に表示される。
【００８７】
この画像処理Ａ−５９においては、画像Ａが主画像に割り当てられ、画像Ｂ、画像Ｃおよび画像Ｄは、従画像に割り当てられている。ループアイコン５２がオンに設定されると、この処理時間４３の一連の処理が繰り返し行われる。その他のアイコンについては、上述のアイコンと同一であるので説明を省略する。
【００８８】
次に図６を参照して、処理アイコンがトラックに設定された場合に、素材を選択する方法について説明する。図６は、図４に示すＡ−４６の処理がまず設定され、次に図３に示すＡ−８の処理が設定された場合に、素材パレット２３から素材が選択される様子を示す図である。
【００８９】
まず、Ａ−４６の処理では、図４を参照して説明したように、第１の画像Ａ、第２の画像Ｂ、第３の画像Ｃを素材とし、第１の画像には、Ｍのマークが付される。第１の画像Ａには、素材パレット２３の１番目の画像であるＧ−１が選択され、第２の画像Ｂには、Ｇ−１の次に素材パレット２３に表示されているＧ−２が、第３の画像にはＧ−２の次に素材パレット２３に表示されているＧ−３がそれぞれ選択されて割り当てられる。
【００９０】
次に、Ａ−８の処理がＡ−４６の処理の後の時刻に設定されると、Ａ−８の処理は、図３を参照して説明したように、第１の画像Ａと、第２の画像Ｂとが設定されている。Ａ−８の処理の引き継ぎアイコン５５がオンに設定されている場合（引継あり）は、第１の画像Ａには、Ａ−４６の処理でＭのマークが付された画像であるＧ−１が割り当てられ、第２の画像Ｂは、それまでに使用されていない画像のうち最も順が早い画像であるＧ−４が、選択されて割り当てられる。
【００９１】
Ａ−８の処理の引き継ぎアイコン５５がオフに設定されている場合（引継なし）には、第１の画像Ａには、それまでに使用されていない素材パレット２３の画像で最も早い順の画像であるＧ−４が、次の画像である第２の画像Ｂには、同様にＧ−５の画像がそれぞれ選択されて割り当てられる。
【００９２】
同様に、まずＡ−５９の処理が設定され、次にＡ−８の処理が設定された場合も、Ａ−８の処理における第１の画像は、引き継ぎがオンに設定されている場合には、Ａ−５９の処理でＭのマークが設定されている第１の画像に割り当てられていた画像が割り当てられ、第２の画像には、それまでに使用されていない画像の最も順が早い画像が選択されて割り当てられる。
【００９３】
次に、処理パレット２２に表示されている処理アイコンに対応して記憶されるデータを示す処理パレット表１３ｂおよび素材パレット２３に記憶されている素材アイコンに対応して記憶されているデータを示す素材パレット表１３ｃおよびシーケンスデータ１３ｄについて説明する。
【００９４】
図７（ａ）は、処理パレット２２に表示されている処理アイコンに対応してＲＡＭ１３に記憶されるデータを示す処理パレット表１３ｂである。各処理アイコンには、アイコンの図形を表す図形データである「処理アイコン」と、「処理時間」と、「素材数」と、処理アイコンに対応する処理のプログラムが記憶されている「プログラムの記憶アドレス」と、「他のパラメータ」と、主画像を示す「主画像」と、継続のあり、なしを示す「継続」とが記憶されている。アイコンの図形を表す図形データは、処理パレット２２に表示されるとともに、トラックに設定された場合には、トラックに表示され、また、処理のパラメータ設定画面が開かれた場合には、その画面に表示される図形であり、処理の概要を表すものである。
【００９５】
「処理時間」は、処理のパラメータ設定画面において、設定される処理時間４３である。「素材数」は、この処理において処理される画像の数である。処理アイコンが処理パレット２２からドラッグされてトラック上に設定されると、この素材数の画像が素材として、素材パレット２３から選択される。
【００９６】
「プログラムの記憶アドレス」は、処理アイコンに対応する画像処理を行う処理プログラム１５ａが記憶されているハードディスク１５のアドレスであって、処理が行われる場合には、このアドレスに基づいて処理プログラム１５ａが読み出され、ＲＡＭ１３に転送されてＣＰＵ１１により実行される。「他のパラメータ」は、処理のパラメータ設定画面において説明したように、表示される画面のＹ座標や、ループアイコンをオンに設定しているかオフに設定しているかなどのパラメータである。
【００９７】
「主画像」は、その処理おいて処理する画像のうち、主画像に設定している画像を示すものであり、上記Ａ−４６の処理およびＡ−５９の処理では第１番目の画像Ａが主画像に設定されているので、１と記憶される。「継続」は、パラメータ設定画面において設定される引き継ぎアイコン５５のオンオフにを示すもので、引き継ぎアイコン５５がオンに設定されている場合は、引継ありに、引き継ぎアイコン５５がオフに設定されている場合は、引継なしに記憶される。
【００９８】
図７（ａ）に示す表では、Ａ−１の処理アイコンについて、処理時間４３が１０秒であり、この処理により使用される素材数は２であり、この処理を行うプログラムは、アドレスＰ１に記憶され、他のパラメータとしてＹ座標等が設定されていることが示されてる。
【００９９】
図７（ｂ）は、素材パレット２３に表示されている表示順に対応してＲＡＭ１３に記憶される素材に関するデータを示す素材パレット表１３ｃである。素材アイコンは、静止画の場合は、その静止画を縮小して表示し、動画の場合は、動画の中の一つの画像（例えば、最初の画像）が縮小されて表示される。素材パレット２３に表示されている順序である「表示順序」に対応し、画像を示す番号「画像番号」とその画像が記憶されているハードディスク１５の素材データ１５ｂの記憶アドレスである「画像の記憶アドレス」とを記憶している。
【０１００】
従って、素材パレット２３に表示されている画像が変更された場合は、その変更された素材パレット２３の表示順序に基づいて、画像番号とその画像が記憶されているアドレスとが変更され、素材パレット２３には、その画像を縮小した画像が表示される。図７（ｂ）に示す表では、素材パレット２３の表示順であるＧ−１には、画像番号としてフォト１０が設定され、そのフォト１０は、ハードディスク１５のアドレスＳ１に記憶されていることが示されている。
【０１０１】
図７（ｃ）は、シーケンスデータ１３ｄを示すもので、まず、シーケンスデータ１３ｄの先頭に、シーケンスの先頭から終端までの時間であるシーケンス時間３１が記憶されている。このシーケンス時間３１は、編集画面に表示されているものである。続いて、処理アイコンにより設定された処理開始時刻である「時刻」と、その処理アイコンの種類を示す「処理アイコン」と、その処理により処理される素材の素材パレット２３に表示されている表示順を示す「素材」と、「処理パラメータ」と「主画像」と「継続」が記憶されている。これらのデータは、処理開始時刻順に記憶されている。
【０１０２】
シーケンスデータ１３ｄとして記憶される「素材」は、直接画像を特定する画像番号または画像が記憶されているアドレスではなく、素材パレット２３に表示されている表示順である。従って、処理の対象となる素材は、素材パレット表１３ｃを参照し、表示順に対応して記憶されている画像番号または画像を記憶しているアドレスに従って、画像データが読み出される。
【０１０３】
シーケンスデータ１３ｄとして、素材パレット２３の表示順を記憶しているので、素材パレット２３を書き換えることにより、シーケンスにより処理される画像を変更することができる。このことにより、素材パレット２３に表示されている素材をフォルダごと入れ替えると、処理のシーケンスは、同一で、素材だけをそっくり入れ替えることができる。例えば、商品Ａの複数の静止画を使用して、商品Ａのプロモーション用のシーケンスを作成し、商品Ａと同様に商品Ｂの複数の静止画を配置したフォルダを作成して、素材パレット２３を商品Ａのフォルダから商品Ｂのフォルダへ置き換えるだけで、商品Ｂのプロモーション用の映像を作成することができる。
【０１０４】
シーケンスデータ１３ｄとして記憶される「処理パラメータ」は、トラック上に処理アイコンが設定されたとき、処理パレット表１３ｂからその処理アイコンに対応する処理パラメータが転記される。このシーケンスデータ１３ｄに基づいて再生処理が行われる場合には、この処理パラメータに基づいて処理が行われる。編集画面のトラック上に表示された処理アイコンを指定することにより、処理のパラメータが、設定された場合には、この処理パラメータが変更設定される。「主画像」と「継続」とは、処理パレット表で説明したものと同一であるので、その説明を省略する。
【０１０５】
図７（ｃ）に示すシーケンスデータ１３ｄの例では、シーケンス時間３１は、３分に設定され、時刻０分０秒から処理アイコンＡ−４６により示される処理が、素材パレット２３のＧ−１とＧ−２とＧ−３とに表示される素材を用いて行われることが示されている。
【０１０６】
次に、上記のように構成された処理シーケンス編集装置１において、ＣＰＵ１１により実行される各種設定処理を示すメイン処理と設定されたシーケンスデータ１３ｄに基づいて処理される再生処理について、フローチャートを参照して説明する。
【０１０７】
図８は、メイン処理を示すフローチャートであり、このメイン処理は、処理シーケンス編集装置１において、図示しないスイッチなどにより処理シーケンスデータを編集する処理が選択されることにより起動され、この処理の終了が指示されるまで実行されるものである。まず、初期設定を行う（Ｓ１）。この初期設定としては、処理パレット２２および素材パレット２３等を含む編集画面を表示器２０に表示し、現在時刻７７を０分０秒に設定するなどの処理を行う。
【０１０８】
次に、処理設定が行われたかを確認する（Ｓ２）。この処理設定とは、処理アイコンが選択されてトラックの所望の時刻にドラッグされたかを確認するものであり、処理設定が行われた場合は（Ｓ２：Ｙｅｓ）その選択された処理アイコンをトラックの設定された時刻に合わせて表示し、シーケンスデータ１３ｄにその時刻と、選択された処理アイコンの種類と、処理パレット表１３ｂの選択された処理アイコンに対応する処理パラメータを記憶する。
【０１０９】
次に設定された処理アイコンに応じて処理を行う素材を設定する（Ｓ３）。この設定については、図９に示すフローチャートを参照して後述する。素材を設定すると、その素材の画像を、トラック上に表示された処理アイコンの時間軸上で後（図では右方向）に表示する。このとき、シーケンスデータ１３ｄとしては、処理アイコンが設定された時刻に対応して、処理アイコンの種類を示す符号と、素材が表示されている素材パレット２３の表示順序を記憶する。素材の数が複数の場合は、それぞれの素材について、素材パレット２３の表示順序を記憶する（Ｓ４）。
【０１１０】
Ｓ２の判断処理において、処理設定が行われなかったと判断した場合（Ｓ２：Ｎｏ）またはＳ４の処理を終了した場合は、トラック上に表示されている素材が、変更されたかを確認する（Ｓ５）。上述の通り、処理アイコンがトラック上に設定されると、素材パレット２３から素材パレット２３に表示されている順序に基づいて素材が選択されるが、選択された素材を変更する場合には、素材パレット２３に表示されている任意の素材をトラック上に表示されている素材までドラッグすることにより変更することができる。この操作が行われた場合は（Ｓ５：Ｙｅｓ）、変更された素材の画像を入れ替え、シーケンスデータ１３ｄの素材の表示順を変更された素材が表示されている表示順に変更する（Ｓ６）。
【０１１１】
Ｓ５の判断処理で、トラック上に表示されている素材の変更が行われなかったと判断した場合（Ｓ５：Ｎｏ）またはＳ６の処理が終了した場合は、素材パレット２３に表示されている素材が変更されたかを判断する（Ｓ７）。素材パレット２３に表示されている素材がマウスによりダブルクリックされ、表示された素材のリストの中から一つの素材を選択することにより、素材パレット２３の一つの素材を変更することができる。また、編集画面において、ロード７２がクリックされると、素材を複数記憶したフォルダが複数表示され、そのフォルダの一つを選択することにより、素材パレット２３に表示されている素材がすべて消去されて、選択されたフォルダに記憶されている素材が、順に素材パレット２３に表示され、素材パレット表１３ｃが書き換えられる。素材パレット２３に表示されている素材が変更された場合は（Ｓ７：Ｙｅｓ）、素材パレット２３の表示を変更されたアイコンの表示に変更し（Ｓ８）、素材パレット表１３ｃに記憶されている画像番号とハードディスク１５の画像の記憶アドレスとを変更する（Ｓ９）。
【０１１２】
次に、その変更前の素材アイコンが、トラック上に表示されているかを判断する（Ｓ１０）。この判断は、変更された素材アイコンの素材パレットの表示順がシーケンスデータ１３ｄに記憶されているかを調べることにより判断される。変更された素材アイコンがトラック上に表示されている場合は（Ｓ１０：Ｙｅｓ）、その素材アイコンを、変更後の素材アイコンに置き換える（Ｓ１１）。
【０１１３】
Ｓ７の判断処理において、素材パレット２３の変更が行われなかったと判断した場合（Ｓ７：Ｎｏ）、Ｓ１０の判断処理において、変更された素材アイコンがトラックに表示されていないと判断した場合（Ｓ１０：Ｎｏ）またはＳ１１の処理を終了した場合は、処理パラメータ設定が指示されたかを確認する（Ｓ１２）。この指示は、編集画面において、いずれかの処理アイコンがクリックされ、続いて処理情報アイコン７１がクリックされることにより行われる。この指示があった場合は、前述の通り、指定された処理アイコンに対応する処理のパラメータ設定画面が表示され、処理時間４３や、表示される画像のＹ座標などが設定される（Ｓ１３）。
【０１１４】
Ｓ１２の判断処理において、処理パラメータ設定が指示されていないと判断した場合（Ｓ１２：Ｎｏ）またはＳ１３の処理を終了した場合は、シーケンス時間３１が設定されたかを確認する（Ｓ１４）。シーケンス時間３１の設定は、編集画面に表示されているシーケンス時間３１の分または秒にカーソルを合わせて直接値を入力してもよいし、このシーケンス時間３１の表示をダブルクリックすることにより、図示しないシーケンス時間設定画面が表示され、この画面において、シーケンス時間３１を設定してもよい。このシーケンス時間設定画面では、シーケンス時間３１を変更した場合に、各処理のクリップ時間と各処理の処理時間４３とが、シーケンス時間３１の変更に応じて変更するか否かを設定する設定アイコンが表示される。シーケンス時間３１の変更に応じて、クリップ時間や処理時間４３を変更しないことを選択した場合は、各処理のクリップ時間と処理時間４３は、そのままでシーケンス時間３１のみが変更される。一方、シーケンス時間３１の変更に応じてクリップ時間と処理時間４３を変更することを選択した場合は、シーケンス時間３１を変更すると、変更前のシーケンス時間３１と、変更後のシーケンス時間３１との比に応じて、各処理のクリップ時間と処理時間４３が変更される。例えば、シーケンス時間３１が５分から４分に変更された場合は、クリップ時間が５０秒に設定されている処理の場合には、クリップ時間が４０秒に、処理時間４３が２０秒に設定されている場合には１６秒に変更される。したがって、その処理のループアイコンがオンに設定されている場合には、繰り返し行われる処理の時間であるループ時間が、２０秒から１６秒に変更される。したがって、シーケンス時間３１が変更されても、繰り返し行われる処理の回数は、変化しないことになる。
【０１１５】
シーケンス時間３１が設定された場合は（Ｓ１４：Ｙｅｓ）、編集画面に表示されているシーケンス時間３１を変更し、シーケンスデータ１３ｄとして記憶されているシーケンス時間３１を変更する。また、シーケンス時間３１の変更に応じてクリップ時間と処理時間４３を変更するように設定されている場合には、クリップ時間を変更して編集画面の表示を変更し、変更されたクリップ時間に一致するように、シーケンスデータ１３ｄを変更する。また、変更された処理時間４３を、シーケンスデータ１３ｄに記憶し、処理時間の表示３５を更新する（Ｓ１５）。
【０１１６】
Ｓ１４の判断処理において、シーケンス時間３１の設定が行われなかったと判断した場合（Ｓ１４：Ｎｏ）またはＳ１５の処理を終了した場合は、その他の処理を実行して（Ｓ１６）、Ｓ２の処理へ戻る。その他の処理は、編集画面に表示された各種アイコンがマウスによりクリックされたかを検出し、クリックされた場合には、そのアイコンに対応する処理を行うなどの処理である。
【０１１７】
次に、上記フローチャートのＳ３の処理において実行される素材の選択処理について、図９に示すフローチャートを参照して説明する。まず、処理アイコンに対応して処理パレット表１３ａに記憶されている素材数Ｎを読み込む（Ｓ２１）。次に、変数ｎを１に設定し（Ｓ２２）、次にその処理における引継がありに設定されているかを判断する（Ｓ２３）。引継がありに設定されている場合は（Ｓ２３：Ｙｅｓ）、直前の処理で主画像として設定された画像があるかを判断する（Ｓ２４）。
【０１１８】
直前の処理で主画像として設定された画像がある場合は（Ｓ２４：Ｙｅｓ）、その画像を画像１（第一番目の画像Ａ）とする（Ｓ２５）。直前の処理で主画像として設定された画像がない場合は（Ｓ２４：Ｎｏ）、直前の処理で処理される最後の画像を画像１とする。
【０１１９】
一方、引継がなしに設定されている場合は（Ｓ２３：Ｎｏ）、素材パレット２３に表示されている素材の中で、まだ使用されていない素材であって、かつ表示順序が最も早い画像を画像１とする（Ｓ２７）。
【０１２０】
Ｓ２５、Ｓ２６およびＳ２７の処理を終了した後、変数の値ｎに１加算し、ｎの値が素材数Ｎより大きいかを判断し（Ｓ２９）、ｎの値が素材数Ｎより大きい場合は（Ｓ２９：Ｙｅｓ）、全ての素材を決定したのでこの処理を終了し、ｎの値が素材数Ｎより大きくない場合は（Ｓ２９：Ｎｏ）、まだ素材を決定していない画像ｎがあるので、その画像ｎには、素材パレット２３の中でまだ使用されてない画像の最も順番が早い画像を割り当て（Ｓ３０）、Ｓ２８の処理へ戻る。
【０１２１】
次に、上記のようにして作成されたシーケンスデータ１３ｄに基づいて、画像の再生を行う再生処理について説明する。編集画面に表示されている再生開始アイコン２７がクリックされると、ＣＰＵ１１は、所定時間（例えば１ｍｓｅｃ）毎にタイマーインターラプトを発生する。図１０は、このタイマーインターラプトにより起動される、割込ルーチンを示すフローチャートである。まず、再生の停止を指示する操作が行われたかを確認する（Ｓ４１）。この操作は、編集画面の停止アイコン２６をマウスでクリックすることにより行われる。停止が指示された場合は（Ｓ４１：Ｙｅｓ）、再生を終了し（Ｓ４４）メインルーチンに戻る。
【０１２２】
再生の停止指示がない場合は（Ｓ４１：Ｎｏ）、現在の時刻ｔを１進め（Ｓ４２）編集画面に表示されている現在時刻７７の表示を更新し、現在時刻が、シーケンス終了時刻であるかを確認する（Ｓ４３）。現在時刻が、シーケンス終了時刻の場合は（Ｓ４３：Ｙｅｓ）、再生を終了し（Ｓ４４）メインルーチンへ戻る。現在時刻がシーケンス終了時刻ではない場合は（Ｓ４３：Ｎｏ）、シーケンスデータ１３ｄ（図７（ｃ））を参照し、現在時刻に一致する新たな処理アイコンが記憶されているかを確認する（Ｓ４５）。
【０１２３】
現在時刻に、一致する新たな処理アイコンが記憶されている場合は（Ｓ４５：Ｙｅｓ）、先に行われている処理を中止し、その時刻に設定されている処理アイコンに対応する処理を、その時刻に記憶されている素材パレット２３の表示順により特定される素材を用いて、処理を開始するように設定する（Ｓ４６）。現在時刻に一致する新たな処理アイコンが記憶されていない場合（Ｓ４６：Ｎｏ）または、Ｓ４６の処理の次に、現在時刻において行う画像処理行い（Ｓ４７）この割り込み処理を終了して、メインルーチンへ戻る。
【０１２４】
以上、説明したように、第１の実施例によれば、画像処理が複数の画像の処理を行う場合に、その複数の画像の中の特定の画像を主画像に設定し、その処理の次に設定された画像処理において、継続ありに設定された場合は、主画像が再度処理されるように設定される。したがって、種々の処理が連続して行われるとき、主画像に設定された画像は、継続して処理されるので、画像の変化に繋がりを持たせることができる。
【０１２５】
次に、第２の実施例について説明する。第２の実施例では、画像処理は、第１の実施例と同様に、複数の画像の処理を行う場合に、主画像と、主画像以外の従画像に分類される。一方、素材においても、主画像と従画像を設定し、画像処理において主画像として処理される画像には、素材の主画像の中から選択し、画像処理において従画像として処理される画像には、素材の従画像の中から選択するものである。つまり、素材の構成および素材の選択方法のみが、第１実施例とは異なるので、異なる部分について以下に説明する。それ以外の部分は、第１の実施例と同一であるので、説明を省略する。
【０１２６】
図１１は、第２の実施例における素材パレット２３を示す図である。第２の実施例では、素材パレットに表示されている画像は、主画像であるＧ−１からＧ−６と、従画像であるＧ−７以降の画像とに分類されている。Ｇ−１からＧ−６までの画像には、Ｍのマーク８６が付されているように、主画像８２に分類された画像であり、Ｇ−７以降の画像が従画像８４に分類された画像である。
【０１２７】
処理アイコンが選択されると、その処理アイコンに対応している画像処理には、その画像処理で使用する素材の数と、その素材とする画像が主画像、または従画像のいずれの画像を割り当てるのかが設定されている。主画像を割り当てるように設定されている画像には、素材パレット２３に表示されている画像のうち、主画像が順に割り当てられ、従画像を割り当てるように設定されている画像には、素材パレット２３に表示されている画像のうち、従画像が順に割り当てられる。この図１１の例は、結婚式における静止画像で、主画像としては、花嫁、花婿および親族などの写真が設定され、従画像として、披露宴における友人などの写真が設定されている。
【０１２８】
図１２を参照して、処理アイコンがトラックに設定された場合に、素材を選択する方法について説明する。図１２（ａ）は、図３に示すＡ−８の処理がまず設定され、次に図４に示すＡ−４６の処理が設定された場合に、図１１に示す素材パレット２３から素材が選択される様子を示す図である。
【０１２９】
まず、Ａ−８の処理では、図３を参照して説明したように、第１の画像Ａおよび第２の画像Ｂには主画像を割り当てるように設定されている。従って、第１の画像Ａには、図１１に示す素材パレット２３の主画像の１番目の画像であるＧ−１が選択され、第２の画像Ｂとして主画像の２番目の画像であるＧ−２が選択されて割り当てられる。
【０１３０】
次に、Ａ−４６の処理がＡ−８の処理の後に設定される。Ａ−４６の処理は、図４を参照して説明したように、第１の画像Ａは、主画像が、第２の画像Ｂと第３の画像Ｃは、従画像を割り当てるように設定されている。Ａ−４６の処理の引き継ぎアイコン５５がオンに設定されている場合は、第１の画像Ａの画像は、Ａ−８の処理で最後に割り当てられた画像のＧ−２が割り当てられ、第２の画像Ｂは、従画像の先頭からＧ−７の画像が、第３の画像Ｃは、そのＧ−７の次のＧ−８の画像がそれぞれ選択されて割り当てられる。
【０１３１】
Ａ−４６の処理の引き継ぎアイコン５５がオフに設定されている場合には、第１の画像Ａは、Ａ−８の処理で最後に割り当てられた画像のＧ−２の次の画像であるＧ−３の画像が、第２の画像Ｂには、従画像の先頭からＧ−７の画像が、第３の画像Ｃは、そのＧ−７の次のＧ−８の画像がそれぞれ選択されて割り当てられる。
【０１３２】
図１２（ｂ）は、図４に示すＡ−４６の処理がまず設定され、次に図５に示すＡ−５９の処理が設定された場合に、図１１に示す素材パレット２３から素材が選択される様子を示す図である。まず、Ａ−４６の処理では、第１の画像Ａは、主画像を割り当てるように設定されているので、主画像の先頭の画像であるＧ−１が選択され、第２の画像Ｂおよび第３の画像Ｃは、従画像を割り当てるように設定されているので、Ｂの画像として従画像の１番目の画像であるＧ−７、Ｃの画像として従画像の２番目のＧ−８が選択されて割り当てられる。
【０１３３】
次に、設定されるＡ−５９の処理は、図５を参照して説明したように、第１の画像Ａは、主画像を、第２の画像Ｂ、第３の画像Ｃおよび第４の画像Ｄには、従画像を割り当てるように設定されている。Ａ−５９の処理の引き継ぎアイコン５５がオンに設定されている場合は、第１の画像Ａは、直前の処理であるＡ−４６の処理で主画像として割り当てられたＧ−１が割り当てられる。第２の画像Ｂは、Ａ−４６の処理で第２画像Ｂの素材とされたＧ−７の画像が、第３の画像Ｃには同じくＡ−４６の処理で第３の画像Ｃの素材とされたＧ−８がそれぞれ割り当てられ、Ｄには、Ｇ−８の次に従画像として表示されている画像であるＧ−９の画像が割り当てられる。
【０１３４】
Ａ−５９の処理の引き継ぎアイコン５５がオフに設定されている場合には、第１の画像Ａは、直前の処理であるＡ−４６の処理でＡの画像の素材とされたＧ−１の次の画像であるＧ−２の画像が選択されて割り当てられる。第２の画像Ｂには、Ａ−４６の処理で第２画像ＢとされたＧ−７、第３の画像ＣとされたＧ−８の次の従画像であるＧ−９が割り当てられる。第３の画像ＣにはそのＧ−９次の画像であるＧ−１０が、第４の画像ＤにはそのＧ−１０の次の画像であるＧ−１１がそれぞれ選択されて割り当てられる。
【０１３５】
図１３は、上記のようにして素材が選択される素材選択処理をフローチャートとして示すものである。メイン処理は、図８に示すフローチャートと同一であり、図１３に示すフローチャートは、そのメイン処理のフローチャートのＳ３の処理の詳細を示すものである。まず、処理アイコンに対応して処理パレット表１３ａに記憶されている素材数Ｎを読み込む（Ｓ６１）。次に、変数ｎを１に設定し（Ｓ６２）、その処理における画像ｎが、主画像かを判断する（Ｓ６３）。
【０１３６】
主画像である場合には（Ｓ６３：Ｙｅｓ）、その処理における引継ありに設定されているかを判断する（Ｓ６４）。引継がありに設定されている場合は（Ｓ６４：Ｙｅｓ）、直前の処理で主画像として設定された画像を画像ｎとする（Ｓ６５）。
【０１３７】
Ｓ６４の判断処理で引継ありに設定されていない場合は（Ｓ６４：Ｎｏ）、直前の処理における主画像の次に素材パレット２３に表示されている画像を画像ｎとする（Ｓ６６）。Ｓ６３の判断処理で、画像ｎが従画像である場合には（Ｓ６３：Ｎｏ）、図１３（ｂ）に示す処理Ｓ６７に進む。
【０１３８】
Ｓ６５、Ｓ６６またはＳ６７の処理が終了した場合は、変数ｎに１を加え（Ｓ６８）、ｎの値が素材数Ｎより大きいかを判断する（Ｓ６９）。ｎの値が素材数Ｎより大きくない場合は、まだ、決定していない画像が残っているのでＳ６３の処理に戻り、ｎの値が素材数Ｎより大きい場合は、全ての画像の割り当てが終了したので（Ｓ６９：Ｙｅｓ）この処理を終了する。
【０１３９】
図１３（ｂ）に示す従画像選択処理においては、まず、画像ｎが複数の従画像の中の先頭かを判断する（Ｓ７１）。即ち、現在設定している処理において処理される従画像が複数ある場合に、画像ｎがその複数の従画像の中の先頭の画像であるか否かを判断する。従画像の先頭である場合には（Ｓ７１：Ｙｅｓ）引継ありに設定されているかを判断する（Ｓ７２）。引継ありに設定されている場合には（Ｓ７２：Ｙｅｓ）直前の処理において従画像として設定された画像を画像ｎとする（Ｓ７３）。Ｓ７２の判断処理で、引継ありと設定されていない場合は（Ｓ７２：Ｎｏ）、直前の処理において最後に設定されている画像の次に素材パレット２３に表示されている従画像を画像ｎとする（７４）。Ｓ７１の判断処理で、画像ｎが複数の従画像の中の先頭ではない場合は（Ｓ７１：Ｎｏ）先に設定された画像ｎの次に表示パレット２３に表示されている画像を画像ｎとする（Ｓ７５）。
【０１４０】
以上、説明したように、第２実施例では、処理パレット２２に表示された処理アイコンにより選択される画像処理は、素材とする画像を主画像と従画像に分類し、素材パレット２３に表示されている画像も、主画像と従画像に分類される。画像処理における主画像には、素材パレット２２に表示されている主画像のいずれかが割り当てられ、画像処理における従画像には、素材パレット２３に表示されている従画像のいずれかが割り当てられる。したがって、素材パレット２３において、主画像として表示した画像は、主画像に分類し、従画像として表示したい画像は、従画像として分類しておくことにより、適切に画像処理における画像が割り当てられる。
【０１４１】
次に、第３の実施例について説明する。第３の実施例では、第２の実施例と同様に、素材パレットの複数の画像は、主画像と、主画像以外の従画像に分類され、各従画像は、いずれかの主画像に対応付けされている。そして、各処理において主画像に選択される画像には、素材パレットのうち主画像に分類された画像が選択され、その処理に選択される従画像には、素材パレットのうち、主画像に分類された主画像に対応する従画像が選択される。
【０１４２】
図１４は、第３の実施例における素材パレット２３を示す図である。第３の実施例では、素材パレットに表示されている画像は、主画像であるＧ−１からＧ−６と、従画像であるＧ−７以降に分類されるとともに、各従画像は、それぞれ主画像のいずれかに対応している。Ｇ−７の素材アイコン内に表示されている対応番号８７は、対応している主画像の番号を示すものである。この図１４では画像Ｇ−７、Ｇ−９、Ｇ−１２は、Ｇ−１に、Ｇ−８は、Ｇ−２に、Ｇ−１０は、Ｇ−３に、Ｇ−１４は、Ｇ−４に対応している。
【０１４３】
一つの画像を複数の主画像に対応させることができ、例えばＧ−１３は、Ｇ−２とＧ−３とに対応している。また、全ての主画像に対応させることもできる。Ｇ−１１の素材アイコンに表示されている表示は、すべての画像に対応していることを示す全対応マーク８８である。図示は省略するが、この第３実施例における素材パレット表１３ｃは、各主画像に対応して、いずれの従画像が対応しているかを記憶しているものである。
【０１４４】
この第３の実施例における素材パレット２３の場合に、画像が選択されて処理の各画像に割り当てられる方法を、図１５を参照して説明する。
【０１４５】
図１５は、図１２（ｂ）に示した例と同様に、図４に示すＡ−４６の処理がまず設定され、次に図５に示すＡ−５９の処理が設定された場合に、図１４に示す素材パレット２３から素材が選択される様子を示す図である。まず、Ａ−４６の処理では、第１の画像Ａは、主画像を素材とすることに設定されているので、主画像の先頭の画像であるＧ−１が選択されて割り当てられる。第２の画像Ｂおよび第３の画像Ｃは、従画像を素材とすることが設定され、更にこの第３の実施例ではＧ−１に対応している画像が選択される。従って、第２の画像ＢにはＧ−７が、第３の画像ＣにはＧ−９が選択されて割り当てられる。
【０１４６】
次に、設定されるＡ−５９の処理は、図５を参照して説明したように、第１の画像Ａには、主画像が、第２の画像Ｂ、第３の画像Ｃおよび第４の画像Ｄには、従画像が割り当てられるように設定されている。Ａ−５９の処理の引き継ぎアイコン５５がオンに設定されている場合は、第１の画像Ａには、Ａ−４６の処理で主画像として割り当てられたＧ−１が割り当てられる。第２の画像Ｂには、Ａ−４６の処理で第２画像Ｂの素材とされたＧ−７の画像が、第３の画像Ｃには同じくＡ−４６の処理で第３の画像Ｃの素材とされたＧ−９がそれぞれ割り当てられ、第４の画像Ｄには、Ｇ−９の次にＧ−１に対応してるＧ−１１の画像が割り当てられる。
【０１４７】
Ａ−５９の処理の引き継ぎアイコン５５がオフに設定されている場合は、第１の画像Ａには、Ａ−４６の処理でＡの画像の素材とされたＧ−１の次の画像であるＧ−２の画像が選択されて割り当てられる。第２の画像Ｂには、Ａ−４６の処理でＧ−２に対応しているＧ−８が、第３の画像ＣにはＧ−１１が、第４の画像ＤにはＧ−１３がそれぞれ選択されて割り当てられる。
【０１４８】
図１６は、上記素材割り当て処理のうち従画像の選択処理をフローチャートとして示すものである。上述の通り、画像の割り当て処理のうち、主画像の割り当て方法は、図１３（ａ）に示す処理と同一であり、この処理の中の、従画像の割り当ての部分だけが異なる。したがって、従画像の選択処理について説明し、それ以外の部分については、説明を省略する。
【０１４９】
まず、従画像ｎが複数の従画像の中の先頭かを判断する（Ｓ８１）。即ち、第２の実施例と同様に現在設定している処理において処理される従画像が複数ある場合に、画像ｎがその複数の従画像の中の先頭の画像であるか否かを判断する。従画像ｎが従画像の先頭である場合は（Ｓ８１：Ｙｅｓ）、引継がありに設定されているかを判断する（Ｓ８２）。引継がありに設定されている場合には（Ｓ８２：Ｙｅｓ）、直前の処理において現在の処理において設定した主画像に対応する従画像を画像ｎに設定する。
【０１５０】
Ｓ８２の判断処理において、引継なしと設定されている場合には（Ｓ８２：Ｎｏ）、現在の処理において設定した主画像に対応する従画像を画像ｎに選択する（Ｓ８４）。Ｓ８１の判断処理において、今回の処理で選択される従画像が、素材パレットの中の複数の従画像の先頭ではない場合は、現在の処理において選択された主画像に対応する従画像であって、先に選択された従画像（画像ｎ−１に選択された従画像）の次の画像を画像ｎとする。
【０１５１】
以上、説明したように、処理パレット２２に表示された処理アイコンにより選択される画像処理は、素材とする画像を主画像と従画像に分類し、素材パレット２３に表示されている画像も、主画像と従画像に分類されるとともに、従画像は、いずれかの主画像に対応付けされ、処理が設定された場合には、その処理において主画像が選択されると、その処理における従画像は、その主画像に対応付けられた複数の従画像のなかから選択される。従って、素材パレット２３において、従画像を、いずれの主画像に対応しているかを設定しておくことにより、主画像に対応した従画像を設定することができる。
【０１５２】
図１７は、図１４を参照して説明した素材パレット２３を複数記憶し、いずれかの素材パレットを選択することができるようにしたものである。この図１７では、「富士山」、「つくば山」、「大雪山」とそれぞれ名前が付けられた素材パレット２３が記憶され、タブ９１をマウスでクリックすることにより、いずれかの素材パレット２３を切り替えることができる。それぞれの素材パレット２３は、図１４に示す素材パレット２３と同様に複数の主画像８２と複数の従画像８４とを記憶し、従画像は、いずれの主画像に対応しているかを表示する対応番号８７などを表示している。
【０１５３】
上述の通り、シーケンスデータ１３ｄは、画像処理の対象となる画像を指定するのではなく、素材パレット２３に表示されている表示順を記憶しているので、素材パレット２３を切り替えると、シーケンスデータ１３ｄにより処理される画像は、全て切り替えられた素材パレット２３に表示されている画像に切り替えられる。
【０１５４】
なお、請求項１または８でいう素材表示ステップまたは素材表示手段、処理表示ステップまたは処理表示手段は、図８に示すフローチャートのＳ１の処理が該当し、処理選択ステップまたは処理選択手段は、図８に示すフローチャートのＳ２の処理が該当し、素材選択ステップまたは素材選択手段は、図８に示すフローチャートのＳ３の処理が該当し、画像処理ステップまたは画像処理手段は、図１０に示すフローチャートのＳ４７が該当する。
【０１５５】
また、請求項２または９でいう素材選択ステップまたは素材選択手段、割り当てステップまたは割り当て手段は、図１３（ａ）に示すフローチャートの処理が該当する。
【０１５６】
また、請求項３または１０でいう主画像選択ステップまたは主画像選択手段は、図１３に示すフローチャートのＳ６５またはＳ６６の処理が該当し、従画像選択ステップまたは従画像選択手段は、図１６に示すフローチャートの処理が該当する。
【０１５７】
また、請求項５または１２でいう画像アドレス記憶ステップまたは画像アドレス記憶手段および素材画像設定ステップまたは素材画像設定手段および画像アドレス変更ステップまたは画像アドレス変更手段は、図８に示すフローチャートのＳ８とＳ９の処理が該当する。また、表示順記憶ステップまたは表示順記憶手段は、図８に示すフローチャートのＳ４が該当する。
【０１５８】
また、請求項６または請求項１３でいうトラック表示ステップまたはトラック表示手段は、図８に示すフローチャートのＳ４が該当し、トラック表示変更ステップまたはトラック表示変更手段は、図８に示すフローチャートのＳ１１が該当する。
【０１５９】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１６０】
例えば、上記実施例では、処理アイコン毎に、直前の処理で素材となった画像を引き継ぐか否かを設定し、引き継ぐと設定された場合は、主画像も従画像も引き継ぐものとしたが、主画像、従画像それぞれに引き継ぐか否かを設定するアイコンを設け、それぞれのグループ毎に引き継ぐか否かを設定するようにしてもよい。
【０１６１】
また、上記実施例では、処理アイコン毎に、直前の処理で素材となった画像を引き継ぐか否かを設定し、引き継ぐと設定された場合は、主画像も従画像も引き継ぐものとしたが、処理アイコン毎に引き継ぐか否かを設定するのではなく、編集画面において引き継ぐか否かを任意に設定できるようにし、その設定に応じて引き継ぐか否かを決定するようにしてもよい。
【０１６２】
また、上記第３の実施例では、素材パレットには、主画像に対応して従画像がいずれの主画像に対応しているかを表示するものとしたが、これらの対応関係を任意に設定できるようにしてもよい。例えば、いずれかの従画像を一つ指定し、次に主画像を指定する。この場合に複数の主画像を指定することができるようにすると、一つの従画像に複数の主画像が対応するように設定することができる。あるいは逆に先に主画像を一つ指定し、次に従画像を指定するようにしてもよい。
【０１６３】
また、上記第３の実施例では、タブを選択することにより主画像と従画像とを全て入れ替えるようにしたが、主画像を選択するタブと従画像を選択するタブをそれぞれ備え、主画像または従画像を選択することができるようにしてもよい。
【図面の簡単な説明】
【０１６４】
【図１】本発明による実施例の処理シーケンス編集装置の電気的な構成を示すブロック図である。
【図２】編集画面を示す図である。
【図３】処理パレットの８番目の処理におけるパラメータ設定画面を示す図である。
【図４】処理パレットの４６番目の処理におけるパラメータ設定画面を示す図である。
【図５】処理パレットの５９番目の処理におけるパラメータ設定画面を示す図である。
【図６】４６番目の処理の次に８番目の処理が設定された場合の画像が割り当てられる様子を示す図である。
【図７】ＲＡＭに記憶されるデータを示す図であって、（ａ）は、処理パレット表を、（ｂ）は、素材パレット表を、（ｃ）はシーケンスデータをそれぞれ示す図である。
【図８】メイン処理を示すフローチャートである。
【図９】素材パレットに表示されている素材を選択する素材選択処理を示すフローチャートである。
【図１０】シーケンスデータに基づいて再生する再生処理を示すフローチャートである。
【図１１】第２の実施例における素材パレットを示す図である。
【図１２】第２の実施例における画像が割り当てられる様子を示す図であって、（ａ）は、８番目の処理の次に４６番目の処理が設定された場合を、（ｂ）は、４６番目の処理の次に５９番目の処理が設定された場合を示す図である。
【図１３】（ａ）は、第２の実施例における素材選択処理を示すフローチャートであり、（ｂ）は、（ａ）の処理の中の従画像を選択処理を示すフローチャートである。
【図１４】第３の実施例における素材パレットを示す図である。
【図１５】第３の実施例における４６番目の処理の次に５９番目の処理が設定された場合の画像が割り当てられる様子を示す図である。
【図１６】第３の実施例における従画像を選択する処理を示すフローチャートである。
【図１７】複数の素材パレットのうちのいずれかを選択することができる素材パレットを示す図である。
【符号の説明】
【０１６５】
１                    処理シーケンス編集装置
１１                  ＣＰＵ
１２                  ＲＯＭ
１３                  ＲＡＭ
１３ａ                処理シーケンス編集プログラム
１３ｂ                処理パレット表
１３ｃ                素材パレット表（画像アドレス記憶手段）
１３ｄ                シーケンスデータ
１５                  ハードディスク（画像記憶手段）
１５ａ                処理プログラム
１５ｂ                素材データ
２０                  表示器（表示手段）
２２                  処理パレット
２３                  素材パレット
【図１】
2006065921.tif 000003
【図２】
2006065921.tif 000004
【図３】
2006065921.tif 000005
【図４】
2006065921.tif 000006
【図５】
2006065921.tif 000007
【図６】
2006065921.tif 000008
【図７】
2006065921.tif 000009
【図８】
2006065921.tif 000010
【図９】
2006065921.tif 000011
【図１０】
2006065921.tif 000012
【図１１】
2006065921.tif 000013
【図１２】
2006065921.tif 000014
【図１３】
2006065921.tif 000015
【図１４】
2006065921.tif 000016
【図１５】
2006065921.tif 000017
【図１６】
2006065921.tif 000018
【図１７】
2006065921.tif 000019